(57)【特許請求の範囲】
【請求項１】
媒体の搬送路に連通する取り込みローラに一端が対向するように二つの保持体を対向させて構成した集積ガイドを設け、この集積ガイドの上方に、上下方向に移動可能で下方に付勢させた紙幣抑えを設け、集積ガイドの下方に、回動軸が下に、自由端が上に位置するように集積ガイドに対して傾斜しかつ自由端が取り込みローラ側に位置する向きで下側から付勢されたリジェクト紙幣ステージを設け、さらに、この集積ガイドをはさむ紙幣抑えとリジェクト紙幣ステージ間を移動可能に切り替えプレートを設け、取り込みローラから集積ガイドに取り込まれたリジェクト紙幣および取り忘れ紙幣をそれぞれ切り替えプレートによってリジェクト紙幣ステージ上のリジェクト紙幣収納部と集積ガイド上の取り忘れ紙幣収納部に収納するようにしたことを特徴とする現金自動取引装置の媒体収納庫。
【請求項２】
請求項１において、
集積ガイドに集積されたリジェクト紙幣をリジェクト紙幣ステージに集積させるよう集積ガイドの下方の位置に移動した切り替えプレートが、集積ガイドの上方の位置へ移動するとき、これに併せてリジェクト紙幣ステージの自由端が上方へ移動して、リジェクト紙幣ステージ上に集積されている紙幣の自由端側の端部を集積ガイドの下面に押し当てることを特徴とする現金自動取引装置の媒体収納庫。
【発明の詳細な説明】
【０００１】
【発明の属する技術分野】
本発明は、現金自動取引装置における媒体収納庫に関する。
【０００２】
【従来の技術】
従来の現金自動取引装置の媒体収納庫の構成を図１３を用いて説明する。
図において、１は媒体収納庫であり、各種紙幣毎の媒体収納部２および３（例えば万円札と千円札の収納部であり、その他の札の収納庫が必要であればそのための収納庫が用意される。）、リジェクト紙幣収納部４、取り忘れ紙幣収納部５があり、このリジェクト紙幣収納部４および取り忘れ紙幣収納部５に紙幣を搬送するための分岐部６、７がそれぞれ配置され、搬送路８によって接続される。
【０００３】
また、上記媒体収納庫１に紙幣を出入させる入出金機１２の構成として、例えば、紙幣入出金口９、一時保留部１０、鑑別部１１等があり、それらが上記搬送路８によって接続される。
【０００４】
【発明が解決しようとする課題】
このような構成の媒体収納庫によると、リジェクト紙幣収納部および取り忘れ紙幣収納部にはそれぞれ分岐部が必要となり、しかも、それらを搬送路で接続している構造であるために全体の構造が大きくなるという問題がある。
【０００５】
【課題を解決するための手段】
そこで本発明の現金自動取引装置の媒体収納庫は、媒体の搬送路に連通する取り込みローラに一端が対向するように二つの保持体を対向させて構成した集積ガイドを設け、この集積ガイドの上方に、上下方向に移動可能で下方に付勢させた紙幣抑えを設け、集積ガイドの下方に、回動軸が下に、自由端が上に位置するように集積ガイドに対して傾斜しかつ自由端が取り込みローラ側に位置する向きで下側から付勢されたリジェクト紙幣ステージを設け、さらに、この集積ガイドをはさむ紙幣抑えとリジェクト紙幣ステージ間を移動可能に切り替えプレートを設け、取り込みローラから集積ガイドに取り込まれたリジェクト紙幣および取り忘れ紙幣をそれぞれ切り替えプレートによってリジェクト紙幣ステージ上のリジェクト紙幣収納部と集積ガイド上の取り忘れ紙幣収納部に収納するようにしたことを特徴とする。
【０００６】
また、上記構成による現金自動取引装置の媒体収納庫において、集積ガイドに集積されたリジェクト紙幣をリジェクト紙幣ステージに集積させるよう集積ガイドの下方の位置に移動した切り替えプレートが、集積ガイドの上方の位置へ移動するとき、これに併せてリジェクト紙幣ステージの自由端が上方へ移動して、リジェクト紙幣ステージ上に集積されている紙幣の自由端側の端部を集積ガイドの下面に押し当てることを特徴とする。
【０００７】
【発明の実施の形態】
以下に本発明の実施の形態例を図面を用いて説明する。
図１は現金自動取引装置の説明図、図２はリジェクト紙幣収納部と取り忘れ紙幣取り込み収納部の側面説明図、図３は同正面説明図、図４は同平面説明図である。図において、現金自動取引装置は、紙幣の入出金処理を行うための入出金機１２と媒体収納庫１３から構成されている。
【０００８】
後述する媒体収納庫１３に紙幣を出入させる入出金機１２の構成は、上記従来と同様であり、例えば、紙幣を受渡しするための紙幣入出金口９、入金された紙幣を一時保留する一時保留部１０、紙幣の金種、真偽、正損を鑑別する鑑別部１１等がある。
１３は媒体収納庫であり、以下のような構成となっている。
【０００９】
媒体収納部１４および１５があり、上記鑑別部１１によって鑑別された紙幣を金種毎に収納して出金、入金に備える（例えば万円札と千円札の収納部であり、その他の札の収納庫が必要であればそのための収納庫が用意される。）。この媒体収納部１４および１５は、複数のローラやモータを備えて紙幣の分離・繰り出しおよび上下動に動作可能なガイド等から構成され、一枚ずつ搬送された紙幣をガイド内に集積させガイドの上下動作によって媒体を収納および排出する動作を行う。
【００１０】
媒体収納庫１３内にはさらに、リジェクト紙幣収納部１６および取り忘れ紙幣収納部１７がある。
このリジェクト紙幣収納部１６および取り忘れ紙幣収納部１７は、図２に示す如く、一体の構成となっている。つまり、上部にスプリング１８によって付勢押圧されている移動可能な紙幣抑え１９があり、その下部に大略断面形状がコ形の同長もしくは長さの異なる二つの保持体２０を溝側を対向させて配置し、その両保持体２０の溝によって紙幣の両側を支えて保持する集積ガイド２１があり、この集積ガイド２１の端部に対向して取り込みローラ２２が配置してある。このようにした集積ガイド２１の上面およびその上方を取り忘れ紙幣収納部１７としてある。
【００１１】
この集積ガイド２１の下方にリジェクト紙幣ステージ２３がある。このリジェクト紙幣ステージ２３は一端が回動可能に保持され、他端は自由端でありスプリング２４によって集積ガイド２１方向に付勢押圧されており、このリジェクト紙幣ステージ２３の上面をリジェクト紙幣収納部１６としてある。
２５は切り替えプレートであり、上記紙幣抑え１９とリジェクト紙幣ステージ２３間を集積ガイド２１の保持体２０間をぬけて移動可能とし、集積ガイド２１に集積されたそれぞれの紙幣をリジェクト紙幣収納部１６もしくは取り忘れ紙幣収納部１７に収納させる。
【００１２】
上記取り込みローラ２２は上記一時保留部１０等の入出金機１２と媒体収納庫１３を結ぶ搬送路２６に沿って連続して配置されている。
上記の構成による現金自動取引装置の各取引における紙幣の流れを以下に説明する。
（入金取引）
顧客が顧客操作部で入金取引を選択すると、紙幣入出金口９のシャッタが開く。顧客が紙幣入出金口９に紙幣を投入すると、シャッタを閉じ、この投入された紙幣は紙幣入出金口９に設けてある分離繰り出し集積機構により一枚ずつに分離され、搬送路２６に送りこまれる。
【００１３】
搬送路２６により紙幣は鑑別部１１に送られ、真券か偽券か、金種、搬送異常等の鑑別が行われる。
鑑別の結果、正常な紙幣は一時保留部１０に送られ、媒体収納部１４、１５内の紙幣とは区別されて一時保留される。
鑑別の結果、異常であると鑑別された紙幣は、紙幣入出金口９に戻されて顧客に返却される。
【００１４】
紙幣入出金口９に投入された全ての紙幣が繰り出され、鑑別結果に応じて所定の収納場所に収納された後、一時保留部１０より媒体収納庫１３に送られて収納される。
つぎに、一時保留部１０に収納した紙幣を媒体収納庫１３に収納する動作を説明する。
【００１５】
一時保留部１０より紙幣が繰り出され、鑑別部１１の鑑別結果によりそれぞれ媒体収納部１４には万券、媒体収納部１５には千券、リジェクト紙幣収納部１６には五千券、二千券および異常券が送られ、それぞれ収納し、入金動作は終了する。
（出金取引）
顧客が顧客操作部で出金取引を選択することにより、出金取引が開始される。
【００１６】
顧客の本人確認後、出金額が入力されると、媒体収納部１４および１５の分離繰り出し集積機構を駆動し、それぞれの紙幣を搬送路２６に送り出す。
繰り出された紙幣は、搬送路２６により鑑別部１１に搬送されて鑑別される。
鑑別の結果異常がなければ搬送路２６により紙幣入出金口９に送られ、シャッタが開いて顧客に渡される。
【００１７】
鑑別の結果異常があると鑑別された紙幣は、繰り出しを一時停止し、搬送路２６上にある紙幣をすべてリジェクト紙幣収納部１６に送られる。
リジェクト紙幣収納部１６に収納後、再度媒体収納部１４および１５から紙幣の繰り出しを顧客が指定した金額になるまで行う。
指定された金額の紙幣が揃うと紙幣入出金口９のシャッタが開いて顧客に渡される。
【００１８】
ここで、紙幣入出金口９に揃った紙幣が所定の時間内に取られないことを検知すると、紙幣入出金口９のシャッタを閉じてすべての紙幣を紙幣入出金口９より搬送路２６に繰り出し、鑑別部１１で鑑別してすべて取り忘れ紙幣収納部１７に送られる。
つぎに、リジェクト紙幣収納および取り忘れ紙幣収納の動作について説明する。
【００１９】
図５〜図７はリジェクト紙幣収納の動作を示す説明図である。
出金または収納時、異常と鑑別された紙幣は、集積ガイド２１に集積される。
このとき、切り替えプレート２５は図示しない駆動機構によってアップ位置２５ａ（通常のホームポジション）に位置する（図５）。
つぎに、切り替えプレート２５がダウン位置２５ｂまで下げられ（図６）、リジェクト紙幣２７は切り替えプレート２５により集積ガイド２１から掻き落とされ、リジェクト紙幣ステージ２３上面のリジェクト紙幣収納部１６のリジェクト紙幣２７上に順次収納される。このとき、リジェクト紙幣２７は確実に収納されるように切り替えプレート２５とリジェクト紙幣ステージ２３により挟まれた状態で移動する。
【００２０】
最後に、切り替えプレート２５がアップ位置２５ａに戻って次のリジェクト紙幣を待つ。以下、リジェクト紙幣がなくなるまで同様の動作を繰り返し、媒体がすべて搬送路２６上になくなるとリジェクト紙幣収納動作はなくなり、リジェクト紙幣２７はリジェクト紙幣収納部１６に積層収納される（図７）。
図８〜図１１は取り忘れ紙幣収納の動作を示す説明図である。
【００２１】
紙幣入出金口９に揃った紙幣が所定の時間内に取られなかったことを検知すると、紙幣入出金口９のシャッタを閉じ、それと同時に切り替えプレート２５がアップ位置２５ａからダウン位置２５ｂに図示しない駆動機構によって移動する。
これによって、紙幣抑え１９は集積ガイド２１上面に当接する（図８）。
つぎに、紙幣入出金口９より紙幣を搬送路２６に繰り出し、鑑別部１１により鑑別して搬送路２６から取り込みローラ２２により集積ガイド２１に取り込まれ、取り込みが終了する。
【００２２】
切り替えプレート２５がアップ位置２５ａに移動し、それによって集積ガイド２１の取り忘れ紙幣２８は持ち上げられて紙幣抑え１９と切り替えプレート２５とで挟まれた状態で集積する（図９）。
このとき、取り忘れ紙幣２８は切り替えプレート２５と紙幣抑え１９によって挟まれた状態で移動させて紙幣にずれ等が発生しないようにして確実に収納される。
【００２３】
つぎに、切り替えプレート２５がダウン位置２５ｂに戻され、つぎの紙幣を待つ。これによって、集積ガイド２１上面に紙幣抑え１９によってはさまれた状態で取り忘れ紙幣２８は集積される（図１０）。
以下、取り忘れ紙幣がすべて収納されるまで繰り返されてすべての取り忘れ紙幣が収納されると、最後に、切り替えプレート２５は集積ガイド２１上面に集積された取り忘れ紙幣を紙幣抑え１９との間に挟んだ状態でアップ位置２５ａに移動し、その挟持状態で取り忘れ紙幣取り込み保持して動作は終了する（図１１）。
【００２４】
以上によって、各動作の説明は終了する。
つぎに、上記現金自動取引装置１２は、全体を収納庫カバー２９で覆われ、背部を扉３０によって閉じられている。そこで、図１２に示す如く、この扉３０の取り忘れ紙幣収納部１７に対向する個所に取り出し扉３１を設けておくと、紙幣の入っている媒体収納庫１３全部を開けることなく取り忘れ紙幣のみを取り出すことができることになる。
【００２５】
【発明の効果】
以上詳細に説明した本発明によると、媒体の搬送路に連通する取り込みローラに一端が対向するように二つの保持体を対向させて構成した集積ガイドを設け、この集積ガイドの上方に、上下方向に移動可能でスプリングによって下方に付勢させた紙幣抑えを設け、集積ガイドの下方に、一端を回動可能に軸止し、他端を開放端として上下方向に移動可能でスプリングによって上方に付勢させたリジェクト紙幣ステージを設け、さらに、集積ガイドをはさむ紙幣抑えとリジェクト紙幣ステージ間を移動する切り替えプレートを設け、取り込みローラから集積ガイドに取り込まれたリジェクト紙幣および取り忘れ紙幣をそれぞれリジェクト紙幣ステージ上のリジェクト紙幣収納部と集積ガイド上の取り忘れ紙幣収納部に収納するようにしたことにより、ひとつの取り込みローラにより取り込まれた紙幣を切り替えプレートにより、リジェクト紙幣収納部と取り忘れ紙幣収納部の双方に収納することができ、従来に比べて格段に小型の構成にすることができる効果を有する。
【００２６】
また、取り忘れ紙幣収納部に該当する個所に個別の取り出し扉を設けておくことにより、紙幣の入っている媒体収納庫全部を開けることなく取り忘れ紙幣のみを取り出して顧客に返却することができ、早急に顧客に対応することができると共に紙幣の保安・管理性が向上する効果がある。
【図面の簡単な説明】
【図１】現金自動取引装置の説明図
【図２】リジェクト紙幣収納部と取り忘れ紙幣取り込み収納部の側面説明図
【図３】同正面説明図
【図４】同平面説明図
【図５】リジェクト紙幣収納動作の説明図
【図６】リジェクト紙幣収納動作の説明図
【図７】リジェクト紙幣収納動作の説明図
【図８】取り忘れ紙幣収納動作の説明図
【図９】取り忘れ紙幣収納動作の説明図
【図１０】取り忘れ紙幣収納動作の説明図
【図１１】取り忘れ紙幣収納動作の説明図
【図１２】取り忘れ紙幣取り出し扉を設けた状態の説明図
【図１３】従来例の説明図
【符号の説明】
９  紙幣入出金口
１０  一時保留部
１１  鑑別部
１２  入出金機
１３  媒体収納庫
１４、１５  媒体収納部
１６  リジェクト紙幣収納部
１７  取り忘れ紙幣収納部
１８  スプリング
１９  紙幣抑え
２０  保持体
２１  集積ガイド
２２  取り込みローラ
２３  リジェクト紙幣ステージ
２４  スプリング
２５  切り替えプレート
２５ａ  切り替えプレートのアップ位置
２５ｂ  切り替えプレートのダウン位置
２６  搬送路
２７  リジェクト紙幣
２８  取り忘れ紙幣
２９  収納庫カバー
３０  扉
３１  取り出し扉
【図１】
0004530115.tif 000002
【図２】
0004530115.tif 000003
【図３】
0004530115.tif 000004
【図４】
0004530115.tif 000005
【図５】
0004530115.tif 000006
【図６】
0004530115.tif 000007
【図７】
0004530115.tif 000008
【図８】
0004530115.tif 000009
【図９】
0004530115.tif 000010
【図１０】
0004530115.tif 000011
【図１１】
0004530115.tif 000012
【図１２】
0004530115.tif 000013
【図１３】
0004530115.tif 000014